【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
コントローラのキーを操作するキー操作と、コントローラを3次元運動させる3次元操作と、のいずれの操作にも連動して動作する操作画面を出力する出力部を備え、前記コントローラの操作によって指示が入力される映像出力装置であって、
前記出力部が前記操作画面を出力している状態で、前記コントローラの操作が行なわれてからの前記コントローラの無操作状態の継続期間が所定の閾値に達した場合に、無操作タイムアウト処理を行なう制御部と、
前記コントローラの操作が前記3次元操作であった場合、前記コントローラの操作が前記
キー操作であった場合よりも、前記閾値を長い値に設定する設定部と、
を備えることを特徴とする映像出力装置。
【請求項２】
コントローラのキーを操作するキー操作と、コントローラを3次元運動させる3次元操作と、のいずれの操作にも連動して動作する操作画面を出力する出力部を備え、前記コントローラの操作によって指示が入力される映像出力装置であって、
前記出力部が前記操作画面を出力している状態で、前記コントローラの操作が行なわれてからの前記コントローラの無操作状態の継続期間が所定の閾値に達した場合に、無操作タイムアウト処理を行なう制御部を備え、
前記制御部は、前記コントローラの操作が前記3次元操作により行なわれた場合、前記コ
ントローラの無操作状態の継続期間が所定の閾値に達しても、該3次元操作に連動して該
操作画面に表示されるポインタが所定の有効領域内にあるときは、前記コントローラを無操作状態とはみなさないことを特徴とする映像出力装置。
【請求項３】
コントローラのキーを操作するキー操作と、コントローラを3次元運動させる3次元操作と、のいずれの操作にも連動して動作する操作画面であって、前記キー操作により操作が行なわれることを想定したキー操作用の操作画面と、前記3次元操作により操作が行なわれ
ることを想定した3次元操作用の操作画面と、のいずれかを出力する出力部を備え、前記
コントローラの操作によって指示が入力される映像出力装置であって、
前記出力部が前記操作画面を出力している状態で、前記コントローラの操作が行なわれてからの前記コントローラの無操作状態の継続期間が所定の閾値に達した場合に、無操作タイムアウト処理を行なう制御部と、
前記出力部が前記キー操作用の操作画面を出力している状態では、前記コントローラの操
作が前記3次元操作であった場合、前記コントローラの操作が前記キー操作であった場合
よりも、前記閾値を長い値に設定し、前記出力部が前記3次元操作用の操作画面を出力し
ている状態では、前記コントローラの操作が前記キー操作であった場合、前記コントローラの操作が前記3次元操作であった場合よりも、前記閾値を長い値に設定する設定部と、
を備えることを特徴とする映像出力装置。
【請求項４】
前記3次元操作は、加速度センサを備えたコントローラを3次元運動させることにより、操作画面に表示されるポインタを操作するものであることを特徴とする請求項１から請求項３までのいずれか１項に記載の映像出力装置。
【請求項５】
前記無操作タイムアウト処理は、操作画面の出力を停止させる処理であることを特徴とする請求項１から請求項４までのいずれか１項に記載の映像出力装置。
【請求項６】
コントローラのキーを操作するキー操作と、コントローラを3次元運動させる3次元操作と、のいずれの操作にも連動して動作する操作画面を出力する出力工程を有し、前記コントローラの操作によって指示が入力される映像出力方法であって、
前記操作画面が出力されている状態で、前記コントローラの操作が行なわれてからの前記コントローラの無操作状態の継続期間が所定の閾値に達した場合に、無操作タイムアウト処理を行なう制御工程と、
前記コントローラの操作が前記3次元操作であった場合、前記コントローラの操作が前記
キー操作であった場合よりも、前記閾値を長い値に設定する設定工程と、
を有することを特徴とする映像出力方法。
【請求項７】
コントローラのキーを操作するキー操作と、コントローラを3次元運動させる3次元操作と、のいずれの操作にも連動して動作する操作画面を出力する出力工程を有し、前記コントローラの操作によって指示が入力される映像出力方法であって、
前記操作画面が出力されている状態で、前記コントローラの操作が行なわれてからの前記コントローラの無操作状態の継続期間が所定の閾値に達した場合に、無操作タイムアウト処理を行なう制御工程を有し、
前記制御工程は、前記コントローラの操作が前記3次元操作により行なわれた場合、前記
コントローラの無操作状態の継続期間が所定の閾値に達しても、該3次元操作に連動して
該操作画面に表示されるポインタが所定の有効領域内にあるときは、前記コントローラを無操作状態とはみなさないことを特徴とする映像出力方法。
【請求項８】
コントローラのキーを操作するキー操作と、コントローラを3次元運動させる3次元操作と、のいずれの操作にも連動して動作する操作画面であって、前記キー操作により操作が行なわれることを想定したキー操作用の操作画面と、前記3次元操作により操作が行なわれ
ることを想定した3次元操作用の操作画面と、のいずれかを出力する出力工程を有し、前
記コントローラの操作によって指示が入力される映像出力方法であって、
前記操作画面が出力されている状態で、前記コントローラの操作が行なわれてからの前記コントローラの無操作状態の継続期間が所定の閾値に達した場合に、無操作タイムアウト処理を行なう制御工程と、
前記キー操作用の操作画面が出力されている状態では、前記コントローラの操作が前記3
次元操作であった場合、前記コントローラの操作が前記キー操作であった場合よりも、前記閾値を長い値に設定し、前記3次元操作用の操作画面が出力されている状態では、前記
コントローラの操作が前記キー操作であった場合、前記コントローラの操作が前記3次元
操作であった場合よりも、前記閾値を長い値に設定する設定工程と、
を有することを特徴とする映像出力方法。
【請求項９】
前記3次元操作は、加速度センサを備えたコントローラを3次元運動させることにより、操
作画面に表示されるポインタを操作するものであることを特徴とする請求項６から請求項８までのいずれか１項に記載の映像出力方法。
【請求項１０】
前記無操作タイムアウト処理は、操作画面の出力を停止させる処理であることを特徴とする請求項６から請求項９までのいずれか１項に記載の映像出力方法。
【手続補正２】
【補正対象書類名】明細書
【補正対象項目名】０００８
【補正方法】変更
【補正の内容】
【０００８】
本発明の映像出力装置は、
コントローラのキーを操作するキー操作と、コントローラを3次元運動させる3次元操作と、のいずれの操作にも連動して動作する操作画面を出力する出力部を備え、前記コントローラの操作によって指示が入力される映像出力装置であって、
前記出力部が前記操作画面を出力している状態で、前記コントローラの操作が行なわれてからの前記コントローラの無操作状態の継続期間が所定の閾値に達した場合に、無操作タイムアウト処理を行なう制御部と、
前記コントローラの操作が前記3次元操作であった場合、前記コントローラの操作が前記
キー操作であった場合よりも、前記閾値を長い値に設定する設定部と、
を備えることを特徴とする。
【手続補正３】
【補正対象書類名】明細書
【補正対象項目名】０００９
【補正方法】変更
【補正の内容】
【０００９】
本発明の映像出力装置は、
コントローラのキーを操作するキー操作と、コントローラを3次元運動させる3次元操作と、のいずれの操作にも連動して動作する操作画面を出力する出力部を備え、前記コントローラの操作によって指示が入力される映像出力装置であって、
前記出力部が前記操作画面を出力している状態で、前記コントローラの操作が行なわれてからの前記コントローラの無操作状態の継続期間が所定の閾値に達した場合に、無操作タイムアウト処理を行なう制御部を備え、
前記制御部は、前記コントローラの操作が前記3次元操作により行なわれた場合、前記コ
ントローラの無操作状態の継続期間が所定の閾値に達しても、該3次元操作に連動して該
操作画面に表示されるポインタが所定の有効領域内にあるときは、前記コントローラを無操作状態とはみなさないことを特徴とする。
【手続補正４】
【補正対象書類名】明細書
【補正対象項目名】００１０
【補正方法】変更
【補正の内容】
【００１０】
本発明の映像出力装置は、
コントローラのキーを操作するキー操作と、コントローラを3次元運動させる3次元操作と、のいずれの操作にも連動して動作する操作画面であって、前記キー操作により操作が行
なわれることを想定したキー操作用の操作画面と、前記3次元操作により操作が行なわれ
ることを想定した3次元操作用の操作画面と、のいずれかを出力する出力部を備え、前記
コントローラの操作によって指示が入力される映像出力装置であって、
前記出力部が前記操作画面を出力している状態で、前記コントローラの操作が行なわれてからの前記コントローラの無操作状態の継続期間が所定の閾値に達した場合に、無操作タイムアウト処理を行なう制御部と、
前記出力部が前記キー操作用の操作画面を出力している状態では、前記コントローラの操作が前記3次元操作であった場合、前記コントローラの操作が前記キー操作であった場合
よりも、前記閾値を長い値に設定し、前記出力部が前記3次元操作用の操作画面を出力し
ている状態では、前記コントローラの操作が前記キー操作であった場合、前記コントローラの操作が前記3次元操作であった場合よりも、前記閾値を長い値に設定する設定部と、
を備えることを特徴とする。
【手続補正５】
【補正対象書類名】明細書
【補正対象項目名】００１１
【補正方法】変更
【補正の内容】
【００１１】
本発明の映像出力方法は、
コントローラのキーを操作するキー操作と、コントローラを3次元運動させる3次元操作と、のいずれの操作にも連動して動作する操作画面を出力する出力工程を有し、前記コントローラの操作によって指示が入力される映像出力方法であって、
前記操作画面が出力されている状態で、前記コントローラの操作が行なわれてからの前記コントローラの無操作状態の継続期間が所定の閾値に達した場合に、無操作タイムアウト処理を行なう制御工程と、
前記コントローラの操作が前記3次元操作であった場合、前記コントローラの操作が前記
キー操作であった場合よりも、前記閾値を長い値に設定する設定工程と、
を有することを特徴とする。
【手続補正６】
【補正対象書類名】明細書
【補正対象項目名】００１２
【補正方法】変更
【補正の内容】
【００１２】
本発明の映像出力方法は、
コントローラのキーを操作するキー操作と、コントローラを3次元運動させる3次元操作と、のいずれの操作にも連動して動作する操作画面を出力する出力工程を有し、前記コントローラの操作によって指示が入力される映像出力方法であって、
前記操作画面が出力されている状態で、前記コントローラの操作が行なわれてからの前記コントローラの無操作状態の継続期間が所定の閾値に達した場合に、無操作タイムアウト処理を行なう制御工程を有し、
前記制御工程は、前記コントローラの操作が前記3次元操作により行なわれた場合、前記
コントローラの無操作状態の継続期間が所定の閾値に達しても、該3次元操作に連動して
該操作画面に表示されるポインタが所定の有効領域内にあるときは、前記コントローラを無操作状態とはみなさないことを特徴とする。
【手続補正７】
【補正対象書類名】明細書
【補正対象項目名】００１３
【補正方法】変更
【補正の内容】
【００１３】
本発明の映像出力方法は、
コントローラのキーを操作するキー操作と、コントローラを3次元運動させる3次元操作と、のいずれの操作にも連動して動作する操作画面であって、前記キー操作により操作が行なわれることを想定したキー操作用の操作画面と、前記3次元操作により操作が行なわれ
ることを想定した3次元操作用の操作画面と、のいずれかを出力する出力工程を有し、前
記コントローラの操作によって指示が入力される映像出力方法であって、
前記操作画面が出力されている状態で、前記コントローラの操作が行なわれてからの前記コントローラの無操作状態の継続期間が所定の閾値に達した場合に、無操作タイムアウト処理を行なう制御工程と、
前記キー操作用の操作画面が出力されている状態では、前記コントローラの操作が前記3
次元操作であった場合、前記コントローラの操作が前記キー操作であった場合よりも、前記閾値を長い値に設定し、前記3次元操作用の操作画面が出力されている状態では、前記
コントローラの操作が前記キー操作であった場合、前記コントローラの操作が前記3次元
操作であった場合よりも、前記閾値を長い値に設定する設定工程と、
を有することを特徴とする。